(57)【要約】【課題】ユーザが装着している無線端末に通信装置が優先的に接続すること。【解決手段】無線端末１は、通信装置２と無線通信で接続可能であり、ユーザが装着可能であり、ユーザが自端末を装着したことを検出する装着検出部１２と、装着検出部１２によって装着したことが検出された場合に、通信装置２が優先接続する優先接続端末として自端末の登録を指示する登録指示情報を当該通信装置２に送信する指示情報送信部１５と、を備える。また、無線端末１は、自端末の状態変化を検出する状態変化検出部１１をさらに備え、装着検出部１２は、状態変化検出部１１によって状態変化が検出された場合に、ユーザが自端末を装着したことを検出してもよい。【選択図】図２
2015192282.tif 000002
【特許請求の範囲】
【請求項１】
通信装置と無線通信で接続可能であり、ユーザが装着可能な無線端末であって、
ユーザが前記無線端末を装着したことを検出する装着検出手段と、
前記装着検出手段によって装着したことが検出された場合に、前記通信装置が優先接続する優先接続端末として前記無線端末の登録を指示する登録指示情報を当該通信装置に送信する登録指示情報送信手段と、
を備える無線端末。
【請求項２】
前記無線端末の状態変化を検出する状態変化検出手段をさらに備え、
前記装着検出手段は、前記状態変化検出手段によって状態変化が検出された場合に、ユーザが前記無線端末を装着したことを検出する、
請求項１に記載の無線端末。
【請求項３】
ユーザが携帯する認証装置に対して無線通信を行い、当該認証装置に格納された認証ＩＤと前記無線端末に格納された認証ＩＤとの比較に基づいてＩＤ認証を行うＩＤ認証手段をさらに備え、
前記登録指示情報送信手段は、前記装着検出手段によってユーザが装着したことが検出され、前記ＩＤ認証手段によって当該ユーザのユーザ認証が行われ、ユーザ認証が成功した場合に、登録指示情報を前記通信装置に送信する、
請求項１又は２に記載の無線端末。
【請求項４】
ユーザの生体認証を行う生体認証手段をさらに備え、
前記登録指示情報送信手段は、前記装着検出手段によってユーザが装着したことが検出され、前記生体認証手段によって当該ユーザのユーザ認証が行われ、ユーザ認証が成功した場合に、登録指示情報を前記通信装置に送信する、
請求項１又は２に記載の無線端末。
【請求項５】
ユーザが前記無線端末を外したことを検出する非装着検出手段と、
前記非装着検出手段によって装着を外したことが検出された場合に、前記通信装置において優先接続端末としての前記無線端末の登録の解除を指示する解除指示情報を当該通信装置に送信する解除指示情報送信手段と、
をさらに備える請求項１〜４の何れか一項に記載の無線端末。
【請求項６】
前記通信装置において優先接続端末としての前記無線端末の登録が完了した旨を示す登録完了情報を当該通信装置から受信する登録完了情報受信手段と、
前記登録完了情報受信手段によって登録完了情報が受信された場合に、前記無線端末が優先接続端末として登録された旨をユーザに通知する登録完了通知手段と、
をさらに備える請求項１〜５の何れか一項に記載の無線端末。
【請求項７】
複数の端末に対して無線通信で接続可能な通信装置と、前記通信装置と無線通信で接続可能であり、ユーザが装着可能な無線端末とを含む無線システムであって、
前記無線端末は、
ユーザが前記無線端末を装着したことを検出する装着検出手段と、
前記装着検出手段によって装着したことが検出された場合に、前記通信装置が優先接続する優先接続端末として前記無線端末の登録を指示する登録指示情報を当該通信装置に送信する登録指示情報送信手段と、
を備え、
前記通信装置は、
登録指示情報を前記無線端末から受信する登録指示情報受信手段と、
前記登録指示情報受信手段によって登録指示情報が前記無線端末から受信された場合に、当該無線端末を優先接続端末として登録する優先接続登録手段と、
端末に対して無線通信で接続を行う場合に、前記優先接続登録手段によって優先接続端末として登録された前記無線端末に優先接続を行う通信接続手段と、
を備える無線システム。
【請求項８】
通信装置と無線通信で接続可能であり、ユーザが装着可能な無線端末により実行される通信接続方法であって、
ユーザが前記無線端末を装着したことを検出する装着検出ステップと、
前記装着検出ステップにおいて装着したことが検出された場合に、前記通信装置が優先接続する優先接続端末として前記無線端末の登録を指示する登録指示情報を当該通信装置に送信する登録指示情報送信ステップと、
を含む通信接続方法。
【請求項９】
複数の端末に対して無線通信で接続可能な通信装置と、前記通信装置と無線通信で接続可能であり、ユーザが装着可能な無線端末とを含む無線システムにより実行される通信接続方法であって、
前記無線端末が、ユーザが前記無線端末を装着したことを検出する装着検出ステップと、
前記無線端末が、前記装着検出ステップにおいて装着したことが検出された場合に、前記通信装置が優先接続する優先接続端末として前記無線端末の登録を指示する登録指示情報を当該通信装置に送信する登録指示情報送信ステップと、
前記通信装置が、登録指示情報を前記無線端末から受信する登録指示情報受信ステップと、
前記通信装置が、前記登録指示情報受信ステップにおいて登録指示情報が前記無線端末から受信された場合に、当該無線端末を優先接続端末として登録する優先接続登録ステップと、
前記通信装置が、端末に対して無線通信で接続を行う場合に、前記優先接続登録ステップにおいて優先接続端末として登録された前記無線端末に優先接続を行う通信接続ステップと、
を含む通信接続方法。
【発明の詳細な説明】
【技術分野】
【０００１】
本発明は、近距離無線通信により通信を行う無線端末、無線システム及び通信接続方法に関する。
【背景技術】
【０００２】
従来、Ｂｌｕｅｔｏｏｔｈ（登録商標）やＷｉＦｉ（登録商標）等の近距離無線通信による通信機能を有している携帯電話やスマートフォン等の通信装置が知られている。例えば、下記特許文献１では、Ｂｌｕｅｔｏｏｔｈ（登録商標）にて音声信号を送受信する無線機が開示されている。
【先行技術文献】
【特許文献】
【０００３】
【特許文献１】特開２００９−２３９５５１号公報
【発明の概要】
【発明が解決しようとする課題】
【０００４】
携帯電話やスマートフォン等の通信装置は、近距離無線通信で接続可能な複数の無線端末を登録し、利用時に各無線端末に接続することが可能である。無線端末としてＢｌｕｅｔｏｏｔｈ（登録商標）等の無線型イヤホンや無線型ヘッドフォンを通信装置にて複数登録している場合、通話や音楽及び動画再生時に、通信装置側にて登録されている任意の無線端末に自動で接続もしくは事前に優先設定された無線端末に接続を開始する。その場合、例えばユーザが無線型イヤホンや無線型ヘッドフォン等の無線端末を耳に装着している等、ユーザが身につけている場合でも、据え置きの無線型スピーカー等の別の無線端末に通信装置が接続してしまう等、本来意図していない無線端末に通信装置が接続してしまうという問題がある。
【０００５】
そこで、本発明はかかる課題に鑑みて為されたものであり、ユーザが装着している無線端末に通信装置が優先的に接続することができる無線端末、無線システム及び通信接続方法を提供することを目的とする。
【課題を解決するための手段】
【０００６】
上記課題を解決するため、本発明の無線端末は、通信装置と無線通信で接続可能であり、ユーザが装着可能な無線端末であって、ユーザが無線端末を装着したことを検出する装着検出手段と、装着検出手段によって装着したことが検出された場合に、通信装置が優先接続する優先接続端末として無線端末の登録を指示する登録指示情報を当該通信装置に送信する登録指示情報送信手段と、を備える。
【０００７】
このような無線端末によれば、ユーザが無線端末（自端末）を装着したことが検出された場合に、通信装置が優先接続する優先接続端末として無線端末（自端末）の登録を指示する登録指示情報が当該通信装置に送信される。かかる構成を採れば、無線端末によって送信された登録指示情報を受信した通信装置は、ユーザが装着したことが検出された当該無線端末を優先接続端末として登録するため、当該通信装置は、ユーザが装着している無線端末に優先的に接続することができる。
【０００８】
また、本発明の無線端末において、無線端末の状態変化を検出する状態変化検出手段をさらに備え、装着検出手段は、状態変化検出手段によって状態変化が検出された場合に、ユーザが無線端末を装着したことを検出することが好ましい。かかる構成を採れば、状態変化が検出された場合に、ユーザが装着したことが検出される。一般的に、ユーザが無線端末を装着する直前に、当該無線端末の状態が変化する場合が多く、予め状態変化を検出することで、例えば装着される可能性が高いことを判定でき、より確実にユーザが装着したことを検出することができる。
【０００９】
また、本発明の無線端末において、ユーザが携帯する認証装置に対して無線通信を行い、当該認証装置に格納された認証ＩＤと無線端末に格納された認証ＩＤとの比較に基づいてＩＤ認証を行うＩＤ認証手段をさらに備え、登録指示情報送信手段は、装着検出手段によってユーザが装着したことが検出され、ＩＤ認証手段によって当該ユーザのユーザ認証が行われ、ユーザ認証が成功した場合に、登録指示情報を通信装置に送信することが好ましい。かかる構成を採れば、例えば、無線端末とユーザが携帯する認証装置とに同一の認証ＩＤを予め格納し、当該無線端末が装着された際に、ユーザが携帯する認証装置に対して無線通信を行って認証ＩＤの同一性に基づいてユーザ認証が行われることで、本来意図しているユーザが装着した無線端末のみが登録指示情報を送信することができる。それにより、通信装置は、本来意図している無線端末に優先接続することができる。
【００１０】
また、本発明の無線端末において、ユーザの生体認証を行う生体認証手段をさらに備え、登録指示情報送信手段は、装着検出手段によってユーザが装着したことが検出され、生体認証手段によって当該ユーザのユーザ認証が行われ、ユーザ認証が成功した場合に、登録指示情報を通信装置に送信することが好ましい。かかる構成を採れば、無線端末が装着された際に、ユーザの生体認証にてユーザ認証が行われることで、本来意図しているユーザが装着した無線端末のみが登録指示情報を送信することができる。それにより、通信装置は、本来意図している無線端末に優先接続することができる。
【００１１】
また、本発明の無線端末において、ユーザが無線端末を外したことを検出する非装着検出手段と、非装着検出手段によって外したことが検出された場合に、通信装置において優先接続端末としての無線端末の登録の解除を指示する解除指示情報を当該通信装置に送信する解除指示情報送信手段と、をさらに備えることが好ましい。かかる構成を採れば、ユーザが無線端末を外した（無線端末の装着をやめた）際に、当該無線端末の優先接続端末としての登録の解除を指示する解除指示情報が通信装置に送信され、解除指示情報を受信した通信装置は、当該無線端末を優先接続端末としての登録を解除するため、通信装置は、ユーザが外した無線端末に対しては優先接続しなくなる。それにより、通信装置は、本来意図している無線端末のみに優先接続することができる。
【００１２】
また、本発明の無線端末において、通信装置において優先接続端末としての無線端末の登録が完了した旨を示す登録完了情報を当該通信装置から受信する登録完了情報受信手段と、登録完了情報受信手段によって登録完了情報が受信された場合に、無線端末が優先接続端末として登録された旨をユーザに通知する登録完了通知手段と、をさらに備えることが好ましい。かかる構成を採れば、ユーザは、自分の無線端末が優先接続端末として通信装置に登録されたことをより確実に知ることができるため、ユーザの利便性が向上する。
【００１３】
また、上記課題を解決するため、本発明の無線システムは、複数の端末に対して無線通信で接続可能な通信装置と、通信装置と無線通信で接続可能であり、ユーザが装着可能な無線端末とを含む無線システムであって、無線端末は、ユーザが無線端末を装着したことを検出する装着検出手段と、装着検出手段によって装着したことが検出された場合に、通信装置が優先接続する優先接続端末として無線端末の登録を指示する登録指示情報を当該通信装置に送信する登録指示情報送信手段と、を備え、通信装置は、登録指示情報を無線端末から受信する登録指示情報受信手段と、登録指示情報受信手段によって登録指示情報が無線端末から受信された場合に、当該無線端末を優先接続端末として登録する優先接続登録手段と、端末に対して無線通信で接続を行う場合に、優先接続登録手段によって優先接続端末として登録された無線端末に優先接続を行う通信接続手段と、を備える。
【００１４】
このような無線システムによれば、ユーザが無線端末を装着したことが検出された場合に、通信装置が優先接続する優先接続端末として当該無線端末の登録を指示する登録指示情報が当該通信装置に送信される。無線端末から登録指示情報を受信した通信装置は、当該無線端末を優先接続端末として登録する。そして、通信装置は、端末に対して無線通信で接続を行う場合に、優先接続端末として登録された無線端末に優先接続を行う。かかる構成を採れば、通信装置は、ユーザが装着したことが検出された無線端末を優先接続端末として登録し、当該無線端末に優先接続を行う。そのため、通信装置は、ユーザが装着している無線端末に優先的に接続することができる。
【００１５】
ところで、本発明は、上記のように無線端末及び無線システムの発明として記述できる他に、以下のようにそれぞれ通信接続方法の発明としても記述することができる。これはカテゴリが異なるだけで、実質的に同一の発明であり、同様の作用及び効果を奏する。
【００１６】
すなわち、本発明に係る通信接続方法は、通信装置と無線通信で接続可能であり、ユーザが装着可能な無線端末により実行される通信接続方法であって、ユーザが無線端末を装着したことを検出する装着検出ステップと、装着検出ステップにおいて装着したことが検出された場合に、通信装置が優先接続する優先接続端末として無線端末の登録を指示する登録指示情報を当該通信装置に送信する登録指示情報送信ステップと、を含む。
【００１７】
また、本発明に係る別の通信接続方法は、複数の端末に対して無線通信で接続可能な通信装置と、通信装置と無線通信で接続可能であり、ユーザが装着可能な無線端末とを含む無線システムにより実行される通信接続方法であって、無線端末が、ユーザが無線端末を装着したことを検出する装着検出ステップと、無線端末が、装着検出ステップにおいて装着したことが検出された場合に、通信装置が優先接続する優先接続端末として無線端末の登録を指示する登録指示情報を当該通信装置に送信する登録指示情報送信ステップと、通信装置が、登録指示情報を無線端末から受信する登録指示情報受信ステップと、通信装置が、登録指示情報受信ステップにおいて登録指示情報が無線端末から受信された場合に、当該無線端末を優先接続端末として登録する優先接続登録ステップと、通信装置が、端末に対して無線通信で接続を行う場合に、優先接続登録ステップにおいて優先接続端末として登録された無線端末に優先接続を行う通信接続ステップと、を含む。
【発明の効果】
【００１８】
本発明によれば、ユーザが装着している無線端末に通信装置が優先的に接続することができる。
【図面の簡単な説明】
【００１９】
【図１】本発明の実施形態に係る無線システムのシステム概要図である。
【図２】本発明の実施形態に係る無線端末及び通信装置の機能ブロック図である。
【図３】本発明の実施形態に係る無線端末及び通信装置のハードウェア構成を示す図である。
【図４】ユーザ情報のテーブル例を示す図である。
【図５】接続先情報のテーブル例を示す図である。
【図６】本発明の実施形態に係る通信装置において、登録指示情報の受信時の通知例を示す図である。
【図７】本発明の実施形態に係る通信装置において、優先接続端末への自動接続時の通知例を示す図である。
【図８】本発明の実施形態に係る通信装置において、登録されている接続端末リストの表示例を示す図である。
【図９】本発明の実施形態に係る無線端末及び通信装置により実行される優先接続端末の登録時の処理（通信接続方法）を示すフローチャートである。
【図１０】本発明の実施形態に係る無線端末及び通信装置により実行される優先接続端末登録の解除時の処理を示すフローチャートである。
【図１１】本発明の実施形態に係る通信装置により実行される優先接続先切り替え時の処理を示すフローチャートである。
【図１２】本発明の実施形態に係る通信装置により実行される接続イベント発生時の処理を示すフローチャートである。
【発明を実施するための形態】
【００２０】
以下、図面とともに本発明による無線端末、通信装置、無線システム及び通信接続方法の好適な実施形態について詳細に説明する。なお、図面の説明においては同一要素には同一符号を付し、重複する説明を省略する。
【００２１】
図１は、無線システム３のシステム概要図である。図１に示す通り、無線システム３は、無線端末１及び通信装置２を含んで構成される。無線端末１と通信装置２とは、Ｂｌｕｅｔｏｏｔｈ（登録商標）やＷｉＦｉ（登録商標）等の近距離無線通信によって互いに接続可能及び通信可能である。図１では一つの無線端末１が示されているが、通信装置２は近距離無線通信が可能な様々な種類の複数の端末と通信可能である。無線端末１から通信装置２へ通信を行う場合は、無線端末１は、無線端末１に格納された通信装置２の接続先情報を参照し、無線端末１から通信装置２に通信接続を行い、通信を行う。同様に、通信装置２から無線端末１へ通信を行う場合は、通信装置２は、通信装置２に格納された無線端末１の接続先情報を参照し、通信装置２から無線端末１に通信接続を行い、通信を行う。
【００２２】
無線端末１は、近距離無線通信による通信が可能なコンピュータ装置であり、無線端末１のユーザ（以降、無線端末１のユーザのことを単にユーザと呼ぶ）が装着可能である。無線端末１の具体例としては、無線型イヤホンや無線型ヘッドフォン（以降、本実施形態では無線型イヤホン及び無線型ヘッドフォンを総称して無線型イヤホンと呼ぶ）、無線型メガネ、無線型腕時計及び無線型リストバンドがあげられる。本実施形態では、無線端末１として主に無線型イヤホンを想定して説明する。
【００２３】
例えば、無線型イヤホンは、小型スピーカーを備え、通信装置２から送信された音信号に対応する音を小型スピーカーから出力する。無線型イヤホンを耳に装着したユーザは、無線型イヤホンから出力された音を聞くことができる。また、無線型メガネは、メガネレンズあるいはメガネレンズ付近に映像出力装置を備え、通信装置２から送信された映像信号に対応する映像を映像出力装置から出力する。無線型メガネを目にかけたユーザは、無線型メガネから出力された映像を見ることができる。また、無線型腕時計又は無線型リストバンドは、表示装置を備え、通信装置２から送信された文字情報を表示する。無線型腕時計又は無線型リストバンドを手に装着したユーザは、無線型腕時計又は無線型リストバンドに表示された文字情報を確認することができる。
【００２４】
通信装置２は、近距離無線通信による通信が可能なコンピュータ装置であり、より具体的にはスマートフォンや携帯電話（以降、本実施形態ではスマートフォン及び携帯電話を総称してスマートフォンと呼ぶ）である。本実施形態では、通信装置２として主にスマートフォンを想定して説明する。
【００２５】
図２は、無線端末１及び通信装置２の機能ブロック図である。図１に示す通り、無線端末１は、通信接続部１０、状態変化検出部１１（状態変化検出手段）、装着検出部１２（装着検出手段及び非装着検出手段）、ユーザ情報格納部１３、ユーザ認証部１４（ＩＤ認証手段及び生体認証手段）、指示情報送信部１５（登録指示情報送信手段及び解除指示情報送信手段）、完了情報受信部１６（登録完了情報受信手段）及び通知部１７（登録完了通知手段）を含んで構成される。一方、通信装置２は、イベント検出部２０、切替判定部２１、接続先情報格納部２２、通信接続部２３（通信接続手段）、指示情報受信部２４（登録指示情報受信手段）、優先接続登録部２５（優先接続登録手段）及び完了情報送信部２６を含んで構成される。
【００２６】
無線端末１及び通信装置２は、ＣＰＵ等のハードウェアから構成されているものである。図３は、無線端末１及び通信装置２のハードウェア構成の一例を示す図である。図２に示される無線端末１及び通信装置２は、物理的にはそれぞれ、図３に示すように、ＣＰＵ１００、主記憶装置であるＲＡＭ１０１及びＲＯＭ１０２、タッチパネルやスピーカー等の入出力装置１０３、近距離無線通信を行う通信モジュール１０４、及び補助記憶装置１０５などを含むコンピュータシステムとして構成されている。
【００２７】
図２に示す無線端末１及び通信装置２の各機能ブロックの機能は、図３に示すＣＰＵ１００、ＲＡＭ１０１等のハードウェア上に所定のコンピュータソフトウェアを読み込ませることにより、ＣＰＵ１００の制御のもとで入出力装置１０３、通信モジュール１０４、及び補助記憶装置１０５を動作させるとともに、ＲＡＭ１０１におけるデータの読み出し及び書き込みを行うことで実現される。
【００２８】
以下、図２に示す無線端末１の各機能ブロックについて説明する。
【００２９】
通信接続部１０は、通信装置２との近距離無線通信での接続を確立し、接続を行う等の接続処理を行う。通信接続部１０は、無線端末１から通信装置２への無線接続を行うための接続処理を行うことが可能であり、通信装置２から無線端末１への無線接続を行うための接続処理を行うことも可能である。通信接続部１０は、無線端末１のユーザからの指示、無線端末１の他の機能ブロックからの指示、及び通信装置２からの接続指示に基づき、接続処理を行う。
【００３０】
状態変化検出部１１は、自端末の状態変化を検出する。より具体的には、状態変化検出部１１は、無線端末１に組み込まれている磁気センサ、近接センサ又は圧力センサ等の感知式センサを用いて、無線端末１の状態変化（磁気の変化、近接を感知、圧力の変化等）を検出し、ユーザに装着された可能性があることを検出する。例えば、無線端末１が無線型腕時計の場合、ユーザが無線型腕時計を装着する際に無線型腕時計でバンドを留める等、特定の形状になることを利用し、無線型腕時計の留め具部分に磁気センサを配置し、状態変化検出部１１が、当該磁気センサを利用してユーザが無線型腕時計を装着しようとしていることを検出する。状態変化検出部１１は、状態変化の検出結果、又はユーザに装着された可能性がある旨等を示す検出結果を装着検出部１２に出力する。
【００３１】
装着検出部１２は、ユーザが自端末を装着したこと、ユーザが自端末を装着中であること、及びユーザが自端末を外した（自端末の装着をやめた）ことを検出する。より具体的には、装着検出部１２は、無線端末１に組み込まれている脈検出センサによる脈波や脈拍等のユーザの脈の検出、赤外線センサ等の人感センサによるユーザの身体の検出、接触センサによるユーザの接触の検出、照度センサによる照度変更の検出、近接センサによるユーザの近接の検出等に基づいて、ユーザの装着状態を検出する。装着検出部１２は、ユーザが自端末を装着した旨の検出結果、ユーザが自端末を装着中である旨の検出結果、及びユーザが自端末を外した旨の検出結果を、後述のユーザ認証部１４及び指示情報送信部１５に出力する。
【００３２】
装着検出部１２は、ユーザが自端末を外したことを検出した場合、後述のユーザ情報格納部１３によって格納されたユーザ情報（図４のテーブル例参照）のうち対応する優先接続登録状態を取得し、優先接続登録状態が「ＹＥＳ」の場合に限り、後段のユーザ認証部１４又は指示情報送信部１５による処理を進め、優先接続登録状態が「ＮＯ」の場合は処理を打ち切ってもよい。
【００３３】
装着検出部１２は、状態変化検出部１１によって状態変化が検出された場合に、ユーザが自端末を装着したことを検出してもよい。より具体的には、装着検出部１２は、状態変化検出部１１から状態変化が検出された旨を示す検出結果が入力された場合や、状態変化検出部１１からユーザに装着された可能性がある旨を示す検出結果が入力された場合に、ユーザが無線端末１を装着したことを検出してもよい。その他に、装着検出部１２は、ユーザの指示、無線端末１の他の機能ブロックからの指示、又は通信装置２からの指示に基づき、ユーザが無線端末１を装着したことを検出してもよい。
【００３４】
ユーザ情報格納部１３は、ユーザを識別するためのユーザＩＤと、パスワードなど当該ユーザのユーザ認証用の認証ＩＤと、通信装置２からの接続時に利用するための通信装置２を識別するための通信装置ＩＤと、当該通信装置において自端末が優先接続端末として登録されている状態か否かを示す優先接続登録状態とを対応付けたユーザ情報を格納する。図４は、ユーザ情報格納部１３によって格納されたユーザ情報のテーブル例を示す図である。無線端末１は複数のユーザによって利用可能であり、その場合、ユーザ情報は、認証ＩＤと通信装置ＩＤとを対にして複数格納が可能である。ユーザ情報格納部１３は、ユーザ情報としてユーザの名前等をさらに対応付けて格納することができ、例えば表示デバイスがついている通信装置２から通信を介して、ユーザ情報格納部１３によって格納されているユーザ情報の閲覧及び編集が可能な場合、通信装置２は、ユーザ情報格納部１３によって格納されているユーザの名前等のユーザ情報を表示することができる。
【００３５】
ユーザ認証部１４は、ユーザが携帯する認証装置に対して無線通信を行い、当該認証装置に格納された認証ＩＤと自端末に格納された認証ＩＤとの比較に基づいてＩＤ認証を行う。より具体的には、ユーザ認証部１４は、装着検出部１２からユーザが自端末を装着した旨の検出結果、ユーザが自端末を装着中である旨の検出結果又はユーザが自端末を外した旨の検出結果が入力されると、無線端末１の登録者（ユーザ）の認証確認のため、Ｂｌｕｅｔｏｏｔｈ（登録商標）や人体通信（ＢＡＮ、Ｂｏｄｙ  Ａｒｅａ  Ｎｅｔｗｏｒｋ）等の近接通信を利用し、ユーザが携帯するタグ等の認証装置（不図示）と通信を行う。そしてユーザ認証部１４は、認証装置に格納された認証ＩＤを取得し、ユーザ情報格納部１３によって格納されたユーザ情報に含まれる認証ＩＤと比較し、認証ＩＤが一致するか否かを判定することでＩＤ認証を行う。すなわち、ユーザ認証部１４は、予め登録されているユーザと一致するかの認証処理を行う。ユーザが携帯する認証装置は、タグ以外に、指輪、ブレスレット、ネックレス等のアクセサリー型装置、時計型装置、携帯装置、スマートフォン、又は入れ歯等の人体埋め込み型装置であってもよい。ユーザ認証部１４は、ＩＤ認証が成功したか否かの認証結果を後述の指示情報送信部１５に出力する。
【００３６】
ユーザ認証部１４は、ユーザの生体認証を行ってもよい。より具体的には、無線端末１に静脈認証、指紋認証、又は耳介認証が可能な装置を配置し、ユーザ認証部１４は当該装置を利用して、ユーザが予め登録されたユーザであるか否かの生体認証を行う。無線端末１が無線型メガネの場合は、虹彩認証又は網膜認証が可能な装置を配置し、ユーザ認証部１４が当該装置を利用して生体認証を行ってもよい。ユーザ認証部１４は、ユーザが予め登録されたユーザであるか否かを示す生体認証結果を後述の指示情報送信部１５に出力する。
【００３７】
なお、ユーザ認証部１４の認証時に、例えば通信経路が人体通信の場合等、ユーザが無線端末１を装着していると判定できる場合は、状態変化検出部１１による状態変化の検出や、装着検出部１２による装着状態の検出処理を省くことが可能である。つまり、ユーザ認証部１４の処理から始まり、後段の指示情報送信部１５による処理を進める。
【００３８】
指示情報送信部１５は、装着検出部１２によって装着したことが検出された場合に、通信装置２が優先接続する優先接続端末として自端末の登録を指示する登録指示情報を当該通信装置２に送信する。より具体的には、指示情報送信部１５は、装着検出部１２からユーザが自端末を装着した旨の検出結果、又はユーザが自端末を装着中である旨の検出結果が入力されると、通信装置２が優先接続する優先接続端末として自端末の登録を指示する登録指示情報を当該通信装置２に送信する。登録指示情報には、無線端末１の無線端末ＩＤや後述の種別情報が含まれる。
【００３９】
指示情報送信部１５は、装着検出部１２によってユーザが装着したことが検出され、ユーザ認証部１４によって当該ユーザのユーザ認証が行われ、ユーザ認証が成功した場合に、登録指示情報を通信装置２に送信してもよい。より具体的には、装着検出部１２からユーザが自端末を装着した旨の検出結果、又はユーザが自端末を装着中である旨の検出結果がユーザ認証部１４に入力され、当該入力に基づいてユーザ認証部１４にてユーザ認証が行われ、ユーザ認証部１４からＩＤ認証が成功した旨の認証結果、又はユーザが予め登録されたユーザであることを示す生体認証結果が指示情報送信部１５に入力されると、指示情報送信部１５は、登録指示情報を通信装置２に送信する。
【００４０】
指示情報送信部１５は、装着検出部１２によって外したことが検出された場合に、通信装置２において優先接続端末としての自端末の登録の解除を指示する解除指示情報を当該通信装置２に送信してもよい。より具体的には、指示情報送信部１５は、装着検出部１２からユーザが自端末を外した旨の検出結果が入力されると、通信装置２において優先接続端末としての自端末の登録の解除を指示する解除指示情報を当該通信装置２に送信する。解除指示情報には、無線端末１の無線端末ＩＤが含まれる。
【００４１】
指示情報送信部１５は、装着検出部１２によってユーザが外したことが検出され、ユーザ認証部１４によって当該ユーザのユーザ認証が行われ、ユーザ認証が成功した場合に、解除指示情報を通信装置２に送信してもよい。より具体的には、装着検出部１２からユーザが自端末を外した旨の検出結果がユーザ認証部１４に入力され、当該入力に基づいてユーザ認証部１４にてユーザ認証が行われ、ユーザ認証部１４からＩＤ認証が成功した旨の認証結果、又はユーザが予め登録されたユーザであることを示す生体認証結果が指示情報送信部１５に入力されると、指示情報送信部１５は、解除指示情報を通信装置２に送信する。
【００４２】
完了情報受信部１６は、通信装置２において優先接続端末としての自端末の登録が完了した旨を示す登録完了情報を当該通信装置２から受信する。通信装置２から登録完了情報を受信した完了情報受信部１６は、ユーザ情報格納部１３によって格納されたユーザ情報のうち、当該ユーザや登録完了情報に含まれる通信端末ＩＤに対応する優先接続登録状態を「ＹＥＳ」（登録状態）に登録する等、通信装置２において優先接続端末としての登録が完了し、優先接続登録状態である旨を無線端末１内に保存する。完了情報受信部１６は、受信した登録完了情報、又は登録完了情報を受信した旨を通知部１７に出力する。
【００４３】
また、完了情報受信部１６は、通信装置２において優先接続端末としての自端末の登録の解除が完了した旨を示す解除完了情報を当該通信装置２から受信する。通信装置２から解除完了情報を受信した完了情報受信部１６は、ユーザ情報格納部１３によって格納されたユーザ情報のうち、当該ユーザや登録完了情報に含まれる通信端末ＩＤに対応する優先接続登録状態を「ＮＯ」（非登録状態）に登録する等、通信装置２において優先接続端末としての登録の解除が完了し、優先接続登録状態でない旨を無線端末１内に保存する。完了情報受信部１６は、受信した解除完了情報、又は解除完了情報を受信した旨を通知部１７に出力する。
【００４４】
通知部１７は、完了情報受信部１６によって登録完了情報が受信された場合に、自端末が優先接続端末として登録された旨をユーザに通知する。より具体的には、通知部１７は、完了情報受信部１６から受信した登録完了情報、又は登録完了情報を受信した旨が入力されると、自端末が優先接続端末として登録された旨をユーザに通知する。
【００４５】
また、通知部１７は、完了情報受信部１６によって解除完了情報が受信された場合に、自端末が優先接続端末としての登録が解除された旨をユーザに通知する。より具体的には、通知部１７は、完了情報受信部１６から受信した解除完了情報、又は解除完了情報を受信した旨が入力されると、自端末が優先接続端末としての登録が解除された旨をユーザに通知する。
【００４６】
通知部１７は、ユーザに通知する方法として、無線端末１が備えるディスプレイに文字情報として表示する方法、無線端末１が備えるスピーカーに音として出力する方法、無線端末１が備えるバイブレーション機能を利用して振動として出力する方法、及び無線端末１が備えるＬＥＤライトを利用して光として出力方法等が挙げられる。
【００４７】
続いて、図２に示す通信装置２の各機能ブロックについて説明する。
【００４８】
イベント検出部２０は、無線端末１を含む外部の端末に接続が必要な各種イベントを検出する。イベントの具体例としては、音声再生、音楽再生、動画再生、テレビ再生、音声着信、メール着信、発信、アラーム通知等が挙げられる。イベント検出部２０は、イベントを検出した旨やイベント内容を含む検出結果を後述の切替判定部２１や通信接続部２３に出力する。検出結果には後述の種別情報が含まれていてもよい。
【００４９】
切替判定部２１は、通信装置２による外部の端末との通信接続状態に基づき、接続先の切り替えが必要か否かを判定する。より具体的には、切替判定部２１は、イベント検出部２０から検出結果を入力すると、当該検出結果に含まれるイベント内容と、通信装置２による外部の端末との通信接続状態とに基づいて、接続先の切り替えが必要か否かを判定する。
【００５０】
切替判定部２１は、切り替えが必要と判定した場合、切り替えを指示する切替指示情報を通信接続部２３に出力する。切替指示情報には、切り替え前の無線端末ＩＤ及び切り替え後の無線端末ＩＤが含まれる。切替指示情報には、接続の切り替えに必要なその他の情報が含まれていてもよい。また、切替判定部２１は、切り替えが必要と判定した場合、後述の接続先情報格納部２２によって格納された接続先情報（図５のテーブル例参照）に優先接続端末が登録されているか否かを判定し、登録されている場合に限り、切り替えを指示する切替指示情報を通信接続部２３に出力してもよい。
【００５１】
切替判定部２１は、後述の指示情報受信部２４から登録指示情報や解除指示情報が入力された場合に切り替え判定を行ってもよい。また、切替判定部２１は、切り替えが必要と判定した場合、切り替えが必要な状態であることを一時的に保持してもよい。
【００５２】
接続先情報格納部２２は、接続先となる一つ以上の外部の端末に関する接続先情報を格納する。図５は、接続先情報格納部２２によって格納された接続先情報のテーブル例を示す図である。図５（ｂ）に示す接続先情報のテーブル例では、接続先の無線端末１のＩＤである接続先無線端末ＩＤと、種別（種別情報）とが対応付いている。種別情報とは、当該無線端末１に接続する目的を示す情報であり、例えば音声通話やメール通知等が挙げられる。図５（ａ）に示す接続先情報の別のテーブル例では、接続先無線端末ＩＤ及び種別以外に、さらに、接続の優先順である接続順位と、当該無線端末１をユーザが装着中であるか否かを示す装着中情報とが対応付いている。このように、接続先情報には、優先接続する無線端末１の情報が含まれる。なお、接続順位等の接続先情報に含まれる情報は、通信装置２のユーザによって登録及び編集することが可能である。
【００５３】
通信接続部２３は、無線端末１との近距離無線通信での接続を確立し、接続を行う等の接続処理を行う。通信接続部２３は、無線端末１から通信装置２への無線接続を行うための接続処理を行うことが可能であり、通信装置２から無線端末１への無線接続を行うための接続処理を行うことも可能である。通信接続部２３は、通信装置２のユーザからの指示、通信装置２の他の機能ブロックからの指示、及び無線端末１からの接続指示に基づき、接続処理を行う。
【００５４】
通信接続部２３は、イベント検出部２０から検出結果が入力されると、検出結果に含まれる種別情報と、接続先情報格納部２２によって格納されている接続先情報とに基づいて、対応する無線端末１に対する接続処理を行ってもよい。
【００５５】
通信接続部２３は、切替判定部２１から切替指示情報が入力されると、当該切替指示情報に含まれる切り替え前の無線端末ＩＤ及び切り替え後の無線端末ＩＤ等に基づいて、切り替え前の無線端末１との接続の切断処理を行い、切り替え後の無線端末１との接続処理を行う等、接続の切替処理を行ってもよい。なお、通信接続部２３は、切替処理を行う場合であって、切替判定部２１によって切り替えが必要な状態であることを一時的に保持されている場合、後述の完了情報送信部２６による登録指示情報又は解除指示情報の送信後に、切替処理を行ってもよい。
【００５６】
通信接続部２３は、端末に対して無線通信で接続を行う場合に、後述の優先接続登録部２５によって優先接続端末として登録された無線端末１に優先接続を行ってもよい。より具体的には、通信接続部２３は、端末に対して無線通信で接続を行う場合に、接続先情報格納部２２によって格納された接続先情報のうち、接続順位が上位の接続先無線端末に対して優先接続を行う。
【００５７】
指示情報受信部２４は、登録指示情報を無線端末１から受信する。指示情報受信部２４は、受信した登録指示情報を切替判定部２１又は後述の優先接続登録部２５に出力する。
【００５８】
また、指示情報受信部２４は、解除指示情報を無線端末１から受信する。指示情報受信部２４は、受信した解除指示情報を切替判定部２１又は後述の優先接続登録部２５に出力する。
【００５９】
優先接続登録部２５は、指示情報受信部２４によって登録指示情報が無線端末１から受信された場合に、当該無線端末１を優先接続端末として登録する。より具体的には、優先接続登録部２５は、指示情報受信部２４から登録指示情報が入力されると、当該登録指示情報に含まれる無線端末ＩＤと種別情報を、接続先情報格納部２２によって格納された接続先情報に登録する。優先接続登録部２５は、接続情報に登録時に、装着中「ＹＥＳ」を登録する等、その他の情報を登録してもよい。優先接続登録部２５は、登録が完了すると、登録が完了した旨や、登録が完了した無線端末１に関する情報等を後述の完了情報送信部２６及び通知部２７に出力する。
【００６０】
また、優先接続登録部２５は、指示情報受信部２４によって解除指示情報が無線端末１から受信された場合に、当該無線端末１を優先接続端末としての登録を解除する。より具体的には、優先接続登録部２５は、指示情報受信部２４から解除指示情報が入力されると、当該解除指示情報に含まれる無線端末ＩＤに基づき、接続先情報格納部２２によって格納された接続先情報のうち当該無線端末ＩＤのレコードを削除する、接続順位を下げる、又は装着中「ＹＥＳ」を「ＮＯ」に変更する。優先接続登録部２５は、登録の解除が完了すると、登録の解除が完了した旨や、登録の解除が完了した無線端末１に関する情報等を後述の完了情報送信部２６及び通知部２７に出力する。
【００６１】
完了情報送信部２６は、優先接続端末の登録が完了した旨を示す登録完了情報を、指示情報受信部２４によって受信された登録指示情報の送信元である無線端末１に送信する。登録完了情報には、当該通信装置２の通信装置ＩＤが含まれる。
【００６２】
また、完了情報送信部２６は、優先接続端末としての登録の解除が完了した旨を示す解除完了情報を、指示情報受信部２４によって受信された解除指示情報の送信元である無線端末１に送信する。解除完了情報には、当該通信装置２の通信装置ＩＤが含まれる。
【００６３】
完了情報送信部２６は、登録指示情報又は解除指示情報の送信が完了した旨を通信接続部２３に出力してもよい。
【００６４】
通知部２７は、通信接続部２３によって優先接続端末に対して接続する際に、その旨をユーザに通知する。図６は、指示情報受信部２４によって登録指示情報が受信された際、あるいは優先接続登録部２５によって優先接続端末の登録が完了した際に、通知部２７が、通信装置２が備えるディスプレイにその旨の文字情報を表示した例を示す図である。図７は、イベント検出部２０によって音声着信イベントが検出され、通信接続部２３が優先接続端末に自動接続する際に、通知部２７が、通信装置２が備えるディスプレイにその旨の文字情報を表示した例を示す図である。通知部２７は、通知を行う際に、通知に必要な情報を接続先情報格納部２２によって格納された接続先情報から適宜取得する。
【００６５】
通知部２７は、接続先情報格納部２２によって格納された接続先情報に含まれる装着中情報に基づき、ユーザが装着中の無線端末１の一覧を表示してもよいし、その際に接続先情報格納部２２によって格納された接続先情報に含まれる接続順位を同時に表示してもよい。図８は、接続先情報格納部２２によって格納された接続先情報に含まれる装着中情報の内容を、通知部２７が、通信装置２が備えるディスプレイに表示した例を示す図である。図８（ａ）は、図５（ｂ）のテーブル例に示す接続先情報の一部内容を通知部２７が表示した例である。図８（ａ）に示す通り、接続先情報が、種別情報ごとに、接続順位順に上から下に向かって表示されている。また、装着中の無線端末１については黒丸が表示され、装着中の無線端末１については接続順位に関係なく種別のうち一番上に表示される。図８（ａ）の状態でユーザが時計を装着すると、図８（ｂ）に示す通り、時計に黒丸が表示され、一番上に表示される。
【００６６】
通知部２７は、優先接続登録部２５から登録が完了した旨が入力されると、その旨をユーザに通知してもよい。また、通知部２７は、優先接続登録部２５から登録の解除が完了した旨が入力されると、その旨をユーザに通知してもよい。また、通知部２７は、接続先情報格納部２２によって格納された接続先情報において複数ユーザごとの無線端末１が登録可能な場合、当該ユーザごとの設定情報を表示してもよい。
【００６７】
通知部１７は、ユーザに通知する方法として、通信装置２が備えるディスプレイに文字情報として表示する方法、通信装置２が備えるスピーカーにブザー音等の音として出力する方法、通信装置２が備えるバイブレーション機能を利用して振動として出力する方法、及び通信装置２が備えるＬＥＤライトを利用して光として出力方法等が挙げられる。
【００６８】
続いて、図９〜１２に示すフローチャート図を用いて、本実施形態に係る無線端末１及び通信装置２における通信接続方法の処理について説明する。図９は、無線端末１が非装着状態から装着状態に変化した際の処理を示すフローチャート図である。
【００６９】
まず、無線端末１において、状態変化検出部１１により状態変化が検出されるまで待機される（ステップＳ１）。状態変化検出部１１により状態変化が検出されると（ステップＳ２：Ｙｅｓ）、続いて装着検出部１２によりユーザが装着したか否かが判定される（ステップＳ３、装着検出ステップ）。Ｓ２にて状態変化が検出されなかった場合、あるいはＳ３にて装着していないことが判定された場合、Ｓ１に戻る。Ｓ３にて装着したことが判定された場合、指示情報送信部１５により登録指示情報が通信装置２に送信される（ステップＳ４、登録指示情報送信ステップ）。
【００７０】
次に、通信装置２において、Ｓ４にて送信された登録指示情報が指示情報受信部２４により受信される（ステップＳ５、登録指示情報受信ステップ）。次に、優先接続登録部２５により無線端末１が優先接続端末として登録される（ステップＳ６、優先接続登録ステップ）。次に、完了情報送信部２６により、登録完了情報が無線端末１に送信され（ステップＳ７）、無線端末１の完了情報受信部１６により当該登録完了情報が受信される（ステップＳ８）。
【００７１】
続いて、図１０は、無線端末１が装着状態から非装着状態に変化した際の処理を示すフローチャート図である。
【００７２】
まず、無線端末１において、状態変化検出部１１により状態変化が検出されるまで待機される（ステップＳ１０）。状態変化検出部１１により状態変化が検出されると（ステップＳ１１：Ｙｅｓ）、続いて装着検出部１２によりユーザが外したか否かが判定される（ステップＳ１２）。Ｓ１２にてユーザが外したことが判定された場合、装着検出部１２によりユーザ情報格納部１３によって格納されたユーザ情報が取得され、無線端末１が優先接続登録状態「ＹＥＳ」として登録されているか否かが判定される（ステップＳ１３）。Ｓ１１にて状態変化が検出されなかった場合、Ｓ１２にて外したことが判定されなかった場合、あるいはＳ１３にて登録されていないと判定された場合、Ｓ１０に戻る。Ｓ１３にて登録されていることが判定された場合、指示情報送信部１５により解除指示情報が通信装置２に送信される（ステップＳ１４）。
【００７３】
次に、通信装置２において、Ｓ１４にて送信された解除指示情報が指示情報受信部２４により受信される（ステップＳ１５）。次に、優先接続登録部２５により無線端末１の優先接続端末としての登録が解除される（ステップＳ１６）。次に、完了情報送信部２６により、解除完了情報が無線端末１に送信され（ステップＳ１７）、無線端末１の完了情報受信部１６により当該解除完了情報が受信される（ステップＳ１８）。
【００７４】
続いて、図１１は、無線端末１が非装着状態から装着状態に変化したと同時に通信装置２が無線端末１に接続する場合の通信装置２の処理を示すフローチャート図である。なお、この場合の無線端末１の処理、及び通信装置２の処理のうちＳ５、Ｓ６及びＳ７の処理は図９と同様のため説明を省略する。
【００７５】
通信装置２において、Ｓ５にて登録指示情報を受信すると、切替判定部２１により優先接続先の切り替えが必要か否かが判定される（ステップＳ２０）。Ｓ２０にて切り替えが必要でないと判定されると処理を終了する（適宜、無線端末１に対して切り替えが必要でない旨の情報を送信してもよい）。Ｓ２０にて切り替えが必要であると判定されると、前述のＳ６及びＳ７の処理が行われ、続いて通信接続部２３により、今までの接続を切断し、優先接続端末として登録された無線端末１に優先接続を行う等の、優先接続先の切り替えが行われる（ステップＳ２１、通信接続ステップ）。
【００７６】
続いて、図１２は、無線端末１への接続イベントが検出された際に無線端末１への接続を行う場合の通信装置２の処理を示すフローチャート図である。
【００７７】
まず、通信装置２において、イベント検出部２０により接続イベントが検出されるまで待機される（ステップＳ３０）。イベント検出部２０により接続イベントが検出されると（ステップＳ３１：Ｙｅｓ）、続いてイベント検出部２０により優先接続端末の登録があるか否かが判定される（ステップＳ３２）。Ｓ３１にて接続イベントが検出されなかった場合、あるいはＳ３２にて登録がないと判定された場合、Ｓ３０に戻る。Ｓ３２にて登録があると判定された場合、通信接続部２３により優先接続端末として登録された無線端末１に優先接続が行われる（ステップＳ３３、通信接続ステップ）
【００７８】
次に、本実施形態のように構成された無線端末１、通信装置２及び無線システム３の作用効果について説明する。
【００７９】
本実施形態の無線端末１によれば、ユーザが無線端末１を装着したことが検出された場合に、通信装置２が優先接続する優先接続端末として自端末の登録を指示する登録指示情報が当該通信装置２に送信される。かかる構成を採れば、無線端末１によって送信された登録指示情報を受信した通信装置２は、ユーザが装着したことが検出された当該無線端末１を優先接続端末として登録するため、当該通信装置２は、ユーザが装着している無線端末１に優先的に接続することができる。
【００８０】
また、本実施形態の無線端末１によれば、状態変化が検出された場合に、ユーザが装着したことが検出される。一般的に、ユーザが無線端末１を装着する直前に、当該無線端末１の状態が変化する場合が多く、予め状態変化を検出することで、例えば装着される可能性が高いことを判定でき、より確実にユーザが装着したことを検出することができる。
【００８１】
また、本実施形態の無線端末１によれば、例えば、無線端末１とユーザが携帯する認証装置とに同一の認証ＩＤを予め格納し、当該無線端末１が装着された際に、ユーザが携帯する認証装置に対して無線通信を行って認証ＩＤの同一性に基づいてユーザ認証が行われることで、本来意図しているユーザが装着した無線端末１のみが登録指示情報を送信することができる。それにより、通信装置２は、本来意図している無線端末１に優先接続することができる。
【００８２】
また、本実施形態の無線端末１によれば、無線端末１が装着された際に、ユーザの生体認証にてユーザ認証が行われることで、本来意図しているユーザが装着した無線端末１のみが登録指示情報を送信することができる。それにより、通信装置２は、本来意図している無線端末１に優先接続することができる。
【００８３】
また、本実施形態の無線端末１によれば、ユーザが無線端末１を外した際に、当該無線端末１の優先接続端末としての登録の解除を指示する解除指示情報が通信装置２に送信され、解除指示情報を受信した通信装置２は、当該無線端末１を優先接続端末としての登録を解除するため、通信装置２は、ユーザが外した無線端末１に対しては優先接続しなくなる。それにより、通信装置２は、本来意図している無線端末１のみに優先接続することができる。
【００８４】
また、本実施形態の無線端末１によれば、ユーザは、自分の無線端末１が優先接続端末として通信装置に登録されたことをより確実に知ることができるため、ユーザの利便性が向上する。
【００８５】
また、本実施形態の無線システム３によれば、ユーザが無線端末１を装着したことが検出された場合に、通信装置２が優先接続する優先接続端末として当該無線端末１の登録を指示する登録指示情報が当該通信装置２に送信される。無線端末１から登録指示情報を受信した通信装置２は、当該無線端末１を優先接続端末として登録する。そして、通信装置２は、端末に対して無線通信で接続を行う場合に、優先接続端末として登録された無線端末１に優先接続を行う。かかる構成を採れば、通信装置２は、ユーザが装着したことが検出された無線端末１を優先接続端末として登録し、当該無線端末１に優先接続を行う。そのため、通信装置２は、ユーザが装着している無線端末１に優先的に接続することができる。
【００８６】
以上の通り、本実施形態の無線システム３において、無線端末１の接続優先度が自動的に変更される。より具体的には、ユーザが無線端末１を身につけたことを自動で判定し、通信装置２は、ユーザが身につけている無線端末１に対して優先的に接続を行う。それにより、通信装置２は本来意図している無線端末１、又はユーザの便宜上最も的確な無線端末１に優先接続することができる。
【符号の説明】
【００８７】
１…無線端末、２…通信装置、３…無線システム、１０…通信接続部、１１…状態変化検出部、１２…装着検出部、１３…ユーザ情報格納部、１４…ユーザ認証部、１５…指示情報送信部、１６…完了情報受信部、１７…通知部、２０…イベント検出部、２１…切替判定部、２２…接続先情報格納部、２３…通信接続部、２４…指示情報受信部、２５…優先接続登録部、２６…完了情報送信部、２７…通知部。
【図１】
2015192282.tif 000003
【図２】
2015192282.tif 000004
【図３】
2015192282.tif 000005
【図４】
2015192282.tif 000006
【図５】
2015192282.tif 000007
【図６】
2015192282.tif 000008
【図７】
2015192282.tif 000009
【図８】
2015192282.tif 000010
【図９】
2015192282.tif 000011
【図１０】
2015192282.tif 000012
【図１１】
2015192282.tif 000013
【図１２】
2015192282.tif 000014